(57)【要約】【課題】有彩色又は無彩色の文字画像、写真画像、網点画像のいずれかを含む原稿に関して画質及び色文字等のカラー調整時の操作性を向上できるようにする。【解決手段】原稿の文字領域、写真領域及び網点領域を第１のパラメータに基づいて判別すると共に、当該原稿の文字領域、写真領域及び網点領域のいずれか１以上が有彩色であるか、又は、無彩色であるかを第２のパラメータに基づいて判別し、これらに応じた画像処理をする画像処理手段３６と、この第１及び第２のパラメータを設定する操作設定手段１４と、原稿の文字領域、写真領域又は網点領域のいずれか１つ以上の領域を判定するための第１のパラメータ調整内容と、当該原稿の文字領域、写真領域及び網点領域のいずれか１以上が有彩色であるか、又は、無彩色であるかを判定するための第２のパラメータ調整内容とを同一画面上に表示する制御手段１５とを備えるものである。【選択図】        図１
2004364115.tif 000002
【特許請求の範囲】
【請求項１】
有彩色又は無彩色の文字画像、写真画像、網点のいずれかを含む原稿を読み取る装置であって、
前記原稿から画像情報を読み取る原稿読取手段と、
前記原稿読取手段から得られた画像情報を入力して前記原稿の文字領域、写真領域及び網点領域のいずれか１つ以上の領域を第１の判別基準値に基づいて判別すると共に、当該原稿の文字領域、写真領域及び網点領域のいずれか１以上が有彩色であるか、又は、無彩色であるかを第２の判別基準値に基づいて判別し、当該原稿の有彩色又は無彩色の文字画像、写真画像、網点画像に応じた画像処理をする画像処理手段と、
前記画像処理手段における第１及び第２の判別基準値を設定する操作設定手段と、
前記操作設定手段により設定された内容に基づいて前記画像処理手段の入出力を制御する制御手段とを備え、
前記制御手段は、
前記原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示するように表示制御することを特徴とする原稿読取装置。
【請求項２】
前記第１及び第２の判別基準値調整内容を同一画面上に表示する表示手段を備えることを特徴とする請求項１に記載の原稿読取装置。
【請求項３】
前記操作設定手段は、
前記第１の判別基準値を設定して前記原稿の画質を調整し、
前記第２の判別基準値を設定して前記原稿の色文字を調整するように操作されることを特徴とする請求項１に記載の原稿読取装置。
【請求項４】
有彩色又は無彩色の文字画像、写真画像、網点のいずれかを含む画像を形成する装置であって、
前記原稿に関する画像情報を入力して当該原稿の文字領域、写真領域及び網点領域のいずれか１つ以上の領域を第１の判別基準値に基づいて判別すると共に、当該原稿の文字領域、写真領域及び網点領域のいずれか１以上が有彩色であるか、又は、無彩色であるかを第２の判別基準値に基づいて判別し、当該原稿の有彩色又は無彩色の文字画像、写真画像、網点画像に応じた画像処理をする画像処理手段と、
前記画像処理手段における第１及び第２の判別基準値を設定する操作設定手段と、
前記操作設定手段により設定された内容に基づいて原稿画像を形成する画像形成手段と、
前記画像形成手段及び画像処理手段の入出力を制御する制御手段とを備え、
前記制御手段は、
前記原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示するように表示制御することを特徴とする画像形成装置。
【請求項５】
前記原稿から画像情報を読み取る原稿読取手段を備えることを特徴とする請求項４に記載の画像形成装置。
【請求項６】
前記第１及び第２の判別基準値調整内容を同一画面上に表示する表示手段を備えることを特徴とする請求項４に記載の画像形成装置。
【請求項７】
前記操作設定手段は、
前記第１の判別基準値を設定して前記原稿の画質を調整し、及び、
前記第２の判別基準値を設定して前記原稿の色文字を調整するように操作されることを特徴とする請求項４に記載の画像形成装置。
【請求項８】
有彩色又は無彩色の文字画像、写真画像、網点のいずれかを含む原稿に関する画像情報を処理する方法であって、
前記画像情報を展開して前記原稿の文字領域、写真領域及び網点領域のいずれか１つ以上の領域を第１の判別基準値に基づいて判別すると共に、当該原稿の文字領域、写真領域及び網点領域のいずれか１以上が有彩色であるか、又は、無彩色であるかを第２の判別基準値に基づいて判別し、
判別された前記原稿の有彩色又は無彩色の文字画像、写真画像、網点画像に応じた画像処理をする際に、
前記原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示することを特徴とする画像処理方法。
【発明の詳細な説明】
【０００１】
【発明の属する技術分野】
本発明は、画像領域を判別して画像データを調整する画像領域判別調整機能を備えたスキャナや、カラーデジタル複写機、複合機等に適用して好適な原稿読取装置、画像形成装置及び画像処理方法に関するものである。
【０００２】
【従来の技術】
近年、色付きの原稿画像から取得した赤（Ｒ）色、緑（Ｇ）色、青（Ｂ）色に係る画像データに基づいてカラー画像を形成したり、サーバー、パーソナルコンピュータ（以下単にパソコンという）等のプリンタコントローラ（外部装置）から画像データを受信し、この画像データに基づいてカラー画像を形成するカラー画像形成装置が使用されるに至っている。この種のカラー画像形成装置で最適なカラー画像を形成するためには、原稿の画像データから写真画像、網点画像あるいは文字領域を判別し、この判別結果に基づく画像処理を画像形成前に行っておく必要がある。
【０００３】
特許文献１には対象画像の種別を識別する画像処理装置が開示されている。この画像処理装置によれば、原稿読取装置（スキャナ）から得られる画像データの種別を識別する場合に、識別手段は、画像データに基づいて画像の種別を識別する。この識別手段により識別された画像種別結果に応じて画像データが処理される。この処理手段が変倍処理を実行する場合に、識別手段の識別動作を変更する。つまり、原稿読取装置における読み取り条件により、処理手段における判別パラメータを可変するようになされる。このようにすることで、対象画像の処理条件及び読み取り条件に応じて対象画像の種別を精度良く識別できるようになる。
【０００４】
特許文献２には原稿情報を電気信号に置き換えて静電潜像を形成し、当該静電潜像を現像するデジタル画像形成装置が開示されている。このデジタル画像形成装置によれば、しきい値変更手段を備え、原稿中の網点を文字部と絵柄部とに分離するためのしきい値を設定する際に、このしきい値変更手段によって、しきい値を文字処理側、あるいは、絵柄処理側に変更するようになされる。つまり、網点と文字の分離閾値を変更するようになされる。このようにすることで、原稿や、ユーザの意図に沿って、文字部のシャープネスを高く、網点絵柄部が滑らかな自然の複写画像を取得できるようになる。
【０００５】
特許文献３には画像の種類を判別する画像領域判別装置が開示されている。この画像領域判別装置によれば、写真画像領域判別手段、網点画像領域判別手段及び文字領域判別手段を備え、画像データからブロック毎に平均濃度を求め、ブロック毎に得られた平均濃度と、隣接するブロックの平均濃度との濃度差を求め、この濃度差に基づいて写真画像領域を判別したり、網点画像領域を判別したり、文字領域を判別するようになされる。このようにすることで、文字画像、写真画像、網点画像が混在する画像領域から文字画像領域と非文字画像領域とを判別できるようになる。
【０００６】
【特許文献１】
特開平０９−１７２５４４号公報（第２頁，図２）
【特許文献２】
特開２０００−１３４４７２号公報（第３頁、図２）
【特許文献３】
特開平０７−３０７５２号公報（第２頁、図２）
【０００７】
【発明が解決しようとする課題】
ところで、従来例に係るカラー画像形成装置によれば、有彩色又は無彩色の原稿の画像データから写真画像、網点画像あるいは文字領域を判別し、この判別結果に基づく画像処理をする場合に、次のような問題がある。
【０００８】
▲１▼  特許文献１乃至３において、画像判別パラメータは、ユーザが操作し易い操作画面上で設定する場合が多い。操作画面上で画像判別パラメータを設定する場合に、通常、文字画像を調整する操作画面と、非文字画像を調整する操作画面との２つに分けて操作画面が構成される。例えば、色味がかかったグレーの太い文字をシャープに黒単色で出力したい場合に、２つに分離された操作画面構成であると、文字画像の調整設定画面と非文字画像の調整設定画面とを行き来して操作しなくてはならない。
【０００９】
▲２▼  このように、原稿によって、画像判別パラメータが適正でない場合に、２つの調整設定画面を相互に開いてカラー調整を繰り返す必要があり、しかも、相互の調整量が一度に判らない不便さがある。従って、カラー調整後の出力予測が難しくなったり、カラー調整に多くの時間を費やしたりして、カラー調整時の操作性が悪くなるおそれがある。
【００１０】
そこで、この発明はこのような従来例に係る課題を解決したものであって、有彩色又は無彩色の文字画像、写真画像、網点画像により構成された原稿に関して画質及び色文字等のカラー調整時の操作性を向上できるようにした原稿読取装置、画像形成装置及び画像処理方法を提供することを目的とする。
【００１１】
【課題を解決するための手段】
上述した課題を解決するために、本発明に係る原稿読取装置は、有彩色又は無彩色の文字画像、写真画像、網点のいずれかを含む原稿を読み取る装置であって、原稿から画像情報を読み取る原稿読取手段と、この原稿読取手段から得られた画像情報を入力して原稿の文字領域、写真領域及び網点領域のいずれか１つ以上の領域を第１の判別基準値に基づいて判別すると共に、当該原稿の文字領域、写真領域及び網点領域のいずれか１以上が有彩色であるか、又は、無彩色であるかを第２の判別基準値に基づいて判別し、当該原稿の有彩色又は無彩色の文字画像、写真画像、網点画像に応じた画像処理をする画像処理手段と、この画像処理手段における第１及び第２の判別基準値を設定する操作設定手段と、この操作設定手段により設定された内容に基づいて画像処理手段の入出力を制御する制御手段とを備え、この制御手段は、原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示することを特徴とするものである。
【００１２】
本発明に係る原稿読取装置によれば、有彩色又は無彩色の文字画像、写真画像、網点画像のいずれかを含む原稿を読取って画像処理をする際に、原稿読取手段によって原稿から画像情報が読み取られる。画像処理手段には、原稿読取手段から得られた画像情報が入力される。また、操作設定手段は、画像処理手段における第１及び第２の判別基準値を設定するように操作される。制御手段では、操作設定手段により設定された内容に基づいて画像処理手段の入出力を制御する。画像処理手段では原稿の画像領域が判別され、原稿の有彩色又は無彩色の文字画像、写真画像、網点画像に応じた画像処理がなされる。
【００１３】
これを前提にして、制御手段は原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示するように、例えば、表示手段を制御する。画像処理手段では、操作設定手段によって設定された第１の判別基準値に基づいて原稿の文字領域、写真領域及び網点領域が判別されると共に、この操作設定手段によって設定された第２の判別基準値に基づいて当該原稿の文字領域、写真領域及び網点領域のいずれか１以上が有彩色であるか、又は、無彩色であるかが判別するようになされる。
【００１４】
従って、オペレータは第１の判別基準値調整内容を目視確認しながら同一画面上で第２の判別基準値調整内容を設定することができる。これにより、原稿の画質及び色文字等のカラー調整時の操作性を向上できる。しかも、本来、文字領域であるものが誤って写真領域と判別されたり、太い文字のエッジをぼやかす等の画像処理を防止できる。また、本来、無彩色の文字であるものが誤って有彩色の文字と判別されたり、黒文字に色を付ける等の画像処理を防止できる。
【００１５】
また、第１及び第２の判別基準値調整内容が同一画面上に表示されるので、これらの調整内容によって設定可能な画質及び色文字等の調整量が一目で分かり、調整後の画像形成出力を予測し易くなる。また、同一画面上で一度に両方の調整項目が操作でき、短時間に画質及び色文字等が調整でき、調整項目がどこに表示されているかが理解し易くなる。
【００１６】
本発明に係る画像形成装置は、有彩色又は無彩色の文字画像、写真画像、網点のいずれかを含む画像を形成する装置であって、原稿に関する画像情報を入力して当該原稿の文字領域、写真領域及び網点領域のいずれか１つ以上の領域を第１の判別基準値に基づいて判別すると共に、当該原稿の文字領域、写真領域及び網点領域のいずれか１以上が有彩色であるか、又は、無彩色であるかを第２の判別基準値に基づいて判別し、当該原稿の有彩色又は無彩色の文字画像、写真画像、網点画像に応じた画像処理をする画像処理手段と、この画像処理手段における第１及び第２の判別基準値を設定する操作設定手段と、この操作設定手段により設定された内容に基づいて原稿画像を形成する画像形成手段と、この画像形成手段及び画像処理手段の入出力を制御する制御手段とを備え、この制御手段は、原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示することを特徴とするものである。
【００１７】
本発明に係る画像形成装置によれば、有彩色又は無彩色の文字画像、写真画像、網点のいずれかを含む画像を形成する際に、画像処理手段には、例えば、本発明に係る原稿読取手段から得られた画像情報が入力される。また、操作設定手段は、画像処理手段における第１及び第２の判別基準値を設定するように操作される。制御手段では、操作設定手段により設定された内容に基づいて画像処理手段の入出力を制御する。画像処理手段では原稿の画像領域が判別され、原稿の有彩色又は無彩色の文字画像、写真画像、網点画像に応じた画像処理がなされる。
【００１８】
これを前提にして、制御手段は原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示するように、例えば、表示手段を制御する。画像処理手段では、操作設定手段によって設定された第１の判別基準値に基づいて原稿の文字領域、写真領域及び網点領域が判別されると共に、この操作設定手段によって設定された第２の判別基準値に基づいて当該原稿の文字領域、写真領域及び網点領域のいずれか１以上が有彩色であるか、又は、無彩色であるかが判別するようになされる。
【００１９】
従って、オペレータは第１の判別基準値調整内容を目視確認しながら同一画面上で第２の判別基準値調整内容を設定することができる。これにより、原稿の画質及び色文字等のカラー調整時の操作性を向上できる。しかも、本来、文字領域であるものが誤って写真領域と判別されたり、太い文字のエッジをぼやかす等の画像形成処理を防止できる。また、本来、無彩色の文字であるものが誤って有彩色の文字と判別されたり、黒文字に色を付ける等の画像形成処理を防止できる。
【００２０】
本発明に係る画像処理方法は、有彩色又は無彩色の文字画像方法、写真画像、網点のいずれかを含む原稿に関する画像情報を処理する方法であって、画像情報を展開して原稿の文字領域、写真領域及び網点領域のいずれか１つ以上の領域を第１の判別基準値に基づいて判別すると共に、当該原稿の文字領域、写真領域及び網点領域のいずれか１以上が有彩色であるか、又は、無彩色であるかを第２の判別基準値に基づいて判別し、ここで判別された原稿の有彩色又は無彩色の文字画像、写真画像、網点画像に応じた画像処理をする際に、原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示することを特徴とするものである。
【００２１】
本発明に係る画像処理方法によれば、有彩色又は無彩色の文字画像、写真画像、網点のいずれかを含む原稿に関する画像情報を処理する際に、第１の判別基準値調整内容を目視確認しながら同一画面上で第２の判別基準値調整内容を設定することができる。従って、原稿の画質及び色文字等のカラー調整時の操作性を向上できる。しかも、本来、文字領域であるものが誤って写真領域と判別されたり、太い文字のエッジをぼやかす等の画像処理を防止できる。また、本来、無彩色の文字であるものが誤って有彩色の文字と判別されたり、黒文字に色を付ける等の画像処理を防止できる。
【００２２】
【発明の実施の形態】
続いて、この発明に係る原稿読取装置、画像形成装置及び画像処理方法の一実施の形態について、図面を参照しながら説明をする。
（１）原稿読取装置
図１は本発明に係る実施形態としての原稿読取装置を応用したカラー用のスキャナ１００の構成例を示す概念図である。
この実施形態では、有彩色又は無彩色の文字画像、写真画像、網点画像により構成された原稿を読み取って画像を処理する場合、原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示する制御手段を備え、第１の判別基準値調整内容を目視確認しながら同一画面上で第２の判別基準値調整内容を設定できるようにすると共に、画質及び色文字等のカラー調整時の操作性を向上できるようにしたものである。
【００２３】
図１に示すカラー用のスキャナ１００は、原稿読取装置の一例であり、有彩色又は無彩色の文字画像、写真画像、網点画像により構成された原稿ｄに関する画像情報を読み取って、デジタルの画像形成データＹ，Ｍ，Ｃ，Ｋを出力する装置である。スキャナ１００は原稿読取手段の一例となる原稿読取部１０２を有しており、原稿ｄから画像情報を読み取ってアナログ画像信号ＳＲ，ＳＧ，ＳＢを出力するように動作する。
【００２４】
スキャナ本体上部には、例えば、自動原稿給紙装置（ＡＤＦ）２０１が取り付けられている。ＡＤＦ２０１は原稿載置部４１、ローラ４２ａ、ローラ４２ｂ、ローラ４３、反転ローラ４４、反転部４５及び排紙皿４６から構成される。また、原稿読取部１０２は、第１のプラテンガラス５１、第２のプラテンガラス５２、光源５３、ミラー５４、５５、５６、結像光学部５７、ＣＣＤ撮像装置５８及び図示しない光学駆動部を有している。
【００２５】
このＣＣＤ撮像装置５８の出力段にはアナログ・デジタル変換（以下Ａ／Ｄ変換という）器３４が接続され、アナログ画像信号ＳＲ，ＳＧ，ＳＢをＡ／Ｄ変換してデジタルのＲ，Ｇ，Ｂ色用の画像データＲ，Ｇ，Ｂを出力するようになされる。Ａ／Ｄ変換器３４には、シェーディング補正部３５が接続され、画像データＲ，Ｇ，Ｂをシェーディング補正処理するようになされる。
【００２６】
シェーディング補正部３５には画像処理手段３６が接続され、原稿読取部１０２から得られたＲ，Ｇ，Ｂ色用の画像データＲ，Ｇ，Ｂを入力して原稿ｄの文字領域、写真領域及び網点領域のいずれか１つ以上の領域を第１の判別基準値Ｔｈｒ＃１に基づいて判別すると共に、当該原稿ｄの文字領域、写真領域及び網点領域のいずれか１以上が有彩色であるか、又は、無彩色であるかを第２の判別基準値Ｔｈｒ＃２に基づいて判別し、当該原稿ｄの有彩色又は無彩色の文字画像、写真画像、網点画像に応じた画像処理をするようになされる。
【００２７】
もちろん、画像処理手段３６は画像データＲ，Ｇ，Ｂをフィルタ処理したり、フィルタ処理後の画像データＲ，Ｇ，Ｂをγ調整処理をする。γ調整後の画像データＲ，Ｇ，ＢはＹ，Ｃ，Ｍ，Ｋ色用の画像形成データＹ，Ｍ，Ｃ，Ｋに色変換処理される。色変換処理後の画像形成データＹ，Ｍ，Ｃ，Ｋは誤差拡散処理等をするようになされる（図２参照）。
【００２８】
画像処理手段３６には画像メモリ１３及び制御手段１５が接続される。画像メモリ１３には画像データＲ，Ｇ，Ｂが一時格納される。この制御手段１５には操作設定手段１４が接続され、独立にパラメータを調整できるようになされている。操作設定手段１４は、画像処理手段３６における判別基準値（以下パラメータという）Ｔｈｒ＃１及びパラメータＴｈｒ＃２を設定するように操作される。
【００２９】
この例で、パラメータはユーザが自由に指示できるようになされている。例えば、操作設定手段１４を操作して、原稿ｄの画質や、その色文字を調整するための操作データＤ３が制御手段１５に出力される。制御手段１５は、操作設定手段１４から入力した操作データＤ３に基づいて画像処理手段３６にパラメータＴｈｒ＃１を設定して原稿ｄの画質を調整し、同様にパラメータＴｈｒ＃２を設定して原稿ｄの色文字を調整するようになされる。
【００３０】
上述の制御手段１５には表示手段１８が接続され、第１及び第２のパラメータ調整内容を同一画面上に表示するようになされる。第１のパラメータ調整内容とは、原稿ｄの文字領域、写真領域又は網点領域のいずれか１つ以上の領域を判定するためのパラメータＴｈｒ＃１を調整する内容をいう。第２のパラメータ調整内容とは、当該原稿ｄの文字領域、写真領域及び網点領域のいずれか１以上が有彩色であるか、又は、無彩色であるかを判定するためのパラメータＴｈｒ＃２を調整する内容をいう。
【００３１】
制御手段１５では、操作設定手段１４により設定された内容に基づいて画像処理手段３６の入出力を制御する。例えば、制御手段１５は第１のパラメータ調整内容と第２のパラメータ調整内容とを表示するための表示データＤ２を表示手段１８に出力し、これら表示データＤ２に基づいてパラメータ調整内容を同一画面上に表示するように表示手段１８を表示制御する。
【００３２】
図２は、画像処理手段３６の内部構成例を示すブロック図である。図２に示す画像処理手段３６は、空間フィルタ部３１、画像判別処理部６２、γ調整部６５、色変換部６６及び、誤差拡散部６７から構成される。画像判別処理部６２は、画像領域判別部６３及び有彩色判別部６４を有している。画像領域判別部６３は原稿読取部１０２から得られたＲ，Ｇ，Ｂ色用の画像データ（画像情報）Ｒ，Ｇ，Ｂを入力して原稿ｄの文字領域、写真領域及び網点領域を第１のパラメータＴｈｒ＃１に基づいて判別する（フローチャートは図５参照）。
【００３３】
有彩色判別部６４は当該原稿ｄの文字領域、写真領域及び網点領域のいずれか１以上が有彩色であるか、又は、無彩色であるかを第２のパラメータＴｈｒ＃２に基づいて判別する。例えば、有彩色判別部では次のような演算が行われる。ここで画像データをＲ，Ｇ，Ｂとし、計算途中の変数（輝度）をＷとし、計算パラメータをａ，ｂ，ｃ，とし、Ｃを判定結果とし、Ｔｈｒ＃２を判定基準値としたとき、判定結果Ｃは、（１）、（２）式、すなわち、
Ｗ＝（Ｒ＋Ｇ＋Ｂ）／３                    ・・・・・・・・（１）
Ｃ＝ａ×｜Ｒ−Ｗ｜＋ｂ×｜Ｇ−Ｗ｜＋ｃ×｜Ｂ−Ｗ｜・・・・（２）
によって演算される。この計算式において、有彩色判別部６４は、Ｃ≧Ｔｈｒ＃２となる場合には、原稿ｄの文字領域、写真領域及び網点領域のいずれか１以上が有彩色であると判別する。また、Ｃ＜Ｔｈｒ＃２となる場合には、原稿ｄの文字領域、写真領域及び網点領域のいずれか１以上が無彩色であると判別する（回路構成は図３参照）。
【００３４】
画像判別処理部６２は、原稿ｄの文字領域、写真領域又は網点領域、これらの領域が有彩色であるか、又は、無彩色であるかを区別する、例えば、４ビットの画像判別信号Ｓ１を空間フィルタ部３１、画像判別処理部６２、γ調整部６５、色変換部６６及び、誤差拡散部６７へ出力する。空間フィルタ部３１は、画像メモリ１３から画像データＲ，Ｇ，Ｂを読出し、画像判別処理部６２から画像判別信号Ｓ１を入力してフィルタ処理をする。例えば、空間フィルタ部３１は、画像データＲ，Ｇ，Ｂを展開し、原稿ｄの文字領域についてはエッジ強調処理し、その写真領域については平滑化処理をし、その網点領域についてはモアレ除去処理をする。
【００３５】
γ調整部６５は画像判別信号Ｓ１及びフィルタ処理後の画像データＲ，Ｇ，Ｂを入力してγ調整処理をする。例えば、γ調整部６５は、原稿ｄの文字領域についてはコントラストを高める処理をし、写真及び網点領域については階調を高める処理をする。色変換部６６は画像判別信号Ｓ１及びγ調整後の画像データＲ，Ｇ，Ｂを入力して色変換処理をする。例えば、色変換部６６は、原稿ｄの有彩色領域については、画像データＲ，Ｇ，Ｂをプリンタの色材であるＹ，Ｍ，Ｃ信号に変換する。原稿ｄの無彩色領域については、画像データＲ，Ｇ，Ｂを無彩色のＢＫ信号に変換する。
【００３６】
誤差拡散部６７は画像判別信号Ｓ１及び色変換処理後の画像形成データＹ，Ｍ，Ｃ，ＢＫを入力して誤差拡散処理をする。例えば、誤差拡散部６７は、原稿ｄの文字領域については、低ビット誤差拡散処理し、写真及び網点領域については、高ビット誤差拡散処理する。誤差拡散処理後の画像形成データＹ，Ｍ，Ｃ，ＢＫは外部機器、例えば、プリンタ等に出力される。もちろん、スキャナ１００内部の画像メモリ１３に一時蓄積しておいてもよい。また、誤差拡散部６７の出力段にスクリーン処理回路を接続してもよいが、この例では、カラー画像形成装置に組み入れる場合を後述するので、ここではスクリーン処理回路を省略している。
【００３７】
図３は、有彩色判別部６４の内部構成例を示すブロック図である。図３に示す有彩色判別部６４は、平均値演算器６０１、Ｒ色用の絶対値演算器６０２、Ｇ色用の絶対値演算器６０３、Ｂ色用の絶対値演算器６０４、Ｒ色用の積算演算（乗算）器６０５、Ｇ色用の積算演算器６０６、Ｂ色用の積算演算器６０７、３項加算器６０８及び、比較器６０８を有している。
【００３８】
平均値演算器６０１は、画像データＲ，Ｇ，Ｂを入力して（１）式に基づいて平均値Ｗを演算する。平均値演算器６０１には、Ｒ色、Ｇ色及びＢ色用の絶対値演算器６０２〜６０４が接続される。絶対値演算器６０２は、画像データＲ及び平均値Ｗを入力して、（２）式の中の｜Ｒ−Ｗ｜を演算する。絶対値演算器６０３では、画像データＧ及び平均値Ｗを入力して、｜Ｇ−Ｗ｜が演算される。絶対値演算器６０４では、画像データＢ及び平均値Ｗを入力して、｜Ｂ−Ｗ｜が演算される。
【００３９】
絶対値演算器６０２にはＲ色用の積算演算器６０５が接続される。積算演算器６０５は、絶対値｜Ｒ−Ｗ｜及び、計算パラメータａを入力して、（２）式の中のａ×｜Ｒ−Ｗ｜を演算する。絶対値演算器６０３にはＧ色用の積算演算器６０６が接続される。積算演算器６０６は、絶対値｜Ｇ−Ｗ｜及び、計算パラメータｂを入力して、（２）式の中のｂ×｜Ｇ−Ｗ｜を演算する。絶対値演算器６０４にはＧ色用の積算演算器６０７が接続される。積算演算器６０７は、絶対値｜Ｂ−Ｗ｜及び、計算パラメータｃを入力して、（２）式の中のｃ×｜Ｇ−Ｗ｜を演算する。
【００４０】
Ｒ色、Ｇ色、Ｂ色用の積算演算器６０５〜６０７には、３項加算器６０８が接続される。３項加算器６０８は、積算演算器６０５〜６０７から出力されるａ×｜Ｒ−Ｗ｜、ｂ×｜Ｇ−Ｗ｜及び、ｃ×｜Ｇ−Ｗ｜を加算する。３項加算器６０８には比較器６０９が接続され、（２）式の中のａ×｜Ｒ−Ｗ｜＋ｂ×｜Ｇ−Ｗ｜＋ｃ×｜Ｂ−Ｗ｜とパラメータ（閾値）Ｔｈｒ＃２とを入力して両者を比較する。比較器６０９で、Ｃ≧Ｔｈｒ＃２となる場合は、原稿ｄの文字領域、写真領域及び網点領域のいずれか１以上が有彩色であると判別する。また、Ｃ＜Ｔｈｒ＃２となる場合は、原稿ｄの文字領域、写真領域及び網点領域のいずれか１以上が無彩色であると判別される。これにより、有彩色判別部６４によって原稿ｄの「有彩色・無彩色」領域を分離することができる。有彩色判別部６４は４ビットの画像判別信号Ｃｏｕｔ＝Ｓ１を空間フィルタ部３１等へ出力する。
【００４１】
続いて、本発明に係る画像処理方法について当該カラースキャナ１００の動作例を説明する。図４はスキャナ１００の動作例を示すフローチャートである。図５は、画像領域判別部６３における画像領域判別例を示すフローチャートである。
【００４２】
この実施形態では、有彩色又は無彩色の文字画像、写真画像、網点画像により構成された原稿ｄに関する画像情報を処理する場合を前提とする。この例では、画像データＲ，Ｇ，Ｂを調整するか否かの選択に基づいて画像処理をする場合を例に挙げる。
【００４３】
これを動作条件にして、図４に示すフローチャートのステップＡ１で原稿読取要求を待機する。原稿読取要求が有った場合は、ステップＡ２に移行する。ステップＡ２で原稿読み取り処理を実行する。例えば、スキャナ本体上部に取付けられたＡＤＦ２０１に原稿ｄが載置され、図示しないスタートボタンが押下される。原稿読取部１０２はスタートボタンが押下されると共に、原稿ｄから画像情報を読み取ってアナログ画像信号ＳＲ，ＳＧ，ＳＢをＡ／Ｄ変換器３４に出力する。
【００４４】
Ａ／Ｄ変換器３４では、アナログ画像信号ＳＲ，ＳＧ，ＳＢがＡ／Ｄ変換され、デジタルのＲ，Ｇ，Ｂ色用の画像データＲ，Ｇ，Ｂが出力される。Ａ／Ｄ変換後の画像データＲ，Ｇ，Ｂは、シェーディング補正部３５によって、シェーディング補正処理される。シェーディング補正後の画像データＲ，Ｇ，Ｂは、画像メモリ１３に一旦格納される。
【００４５】
次に、ステップＡ３で画像データＲ，Ｇ，Ｂを調整するか否かを選択するように操作設定手段１４が操作される。ここで画像データＲ，Ｇ，Ｂの調整を選択する場合は、ステップＡ４に移行して、原稿ｄの文字領域、写真領域又は網点領域のいずれか１つ以上の領域を判定するための第１のパラメータ調整内容と、当該原稿ｄの文字領域、写真領域及び網点領域のいずれか１以上が有彩色であるか、又は、無彩色であるかを判定するための第２のパラメータ調整内容とを同一画面上に表示する。
【００４６】
このとき、オペレータは第１のパラメータ調整内容を同一画面上で目視確認し、第２のパラメータ調整内容を設定するように操作できる。ここで画像データＲ，Ｇ，Ｂを調整する場合は、画像処理手段３６における第１及び第２のパラメータＴｈｒ＃１、Ｔｈｒ＃２を設定するように操作設定手段１４が操作される。制御手段１５では、操作設定手段１４により設定された内容に基づいて画像処理手段３６の入出力を制御する。
【００４７】
そして、ステップＡ５で画像判別処理部６２は画像領域を判別する。この例で画像領域判別部６３は、第１のパラメータＴｈｒ＃１に基づいて原稿ｄの文字領域、写真領域及び網点領域を判別する。例えば、画像領域判別部６３は、図５に示すサブルーチンをコールし、そのフローチャートのステップＢ１で、原稿読取部１０２から得られたＲ，Ｇ，Ｂ色用の画像データＲ，Ｇ，Ｂを入力して原稿ｄの画像領域を複数のブロックに展開し、これらのブロック毎に平均濃度を算出する。
【００４８】
そして、ステップＢ２で画像領域判別部６３は、原稿ｄの画像領域の隣接ブロック間の濃度差を算出する。その後、ステップＢ３で隣接ブロック間の濃度差とパラメータ（閾値）Ｔｈｒ＃１とを比較する。ここで濃度差がパラメータＴｈｒ＃１以下である場合は、ステップＢ４に移行して原稿ｄの画像領域が写真画像領域であると判別する。
【００４９】
また、ステップＢ３で濃度差がパラメータＴｈｒ＃１を越える場合は、ステップＢ５に移行してその画像領域が網点画像領域か否かを判別する。この画像領域が網点画像領域か否かを判別する方法に関しては、先に提示した特許文献である特開平７−３０７５２号公報が挙げられる。この方法を利用して、その画像領域が網点画像領域である場合は、ステップＢ６に移行して、その画像領域が網点画像領域であると判別する。その画像領域が網点画像領域ではない場合は、ステップＢ７に移行して、その画像領域が文字画像領域であると判別する。これにより、画像領域判別部６３によって原稿ｄの「文字・写真・網点」領域を分離することができる。
【００５０】
これと共に、ステップＡ６で画像判別処理部６２は有彩色領域を判別する。この例で有彩色判別部６４は、第２のパラメータ（閾値）Ｔｈｒ＃２に基づいて当該原稿ｄの文字領域、写真領域及び網点領域のいずれか１以上が有彩色であるか、又は、無彩色であるかを判別する。例えば、有彩色判別部６４は、（１）、（２）式に示したような計算式を演算する。この計算式において、有彩色判別部６４は、Ｃ≧Ｔｈｒ＃２となる場合には、原稿ｄの文字領域、写真領域及び網点領域のいずれか１以上が有彩色であると判別する。また、Ｃ＜Ｔｈｒ＃２となる場合には、原稿ｄの文字領域、写真領域及び網点領域のいずれか１以上が無彩色であると判別する。
【００５１】
このように、判別された原稿ｄの有彩色又は無彩色の文字画像、写真画像、網点画像に応じた画像処理をする際に、ステップＡ７でデータ調整を含む画像処理を実行する。このとき、画像処理手段３６では、パラメータ調整値に基づいて原稿ｄの有彩色又は無彩色の文字画像、写真画像、網点画像に応じた画像処理がなされる。例えば、画像処理手段３６は、画像データＲ，Ｇ，Ｂを展開し、パラメータ調整値に基づく原稿ｄの文字領域についてはエッジ強調処理し、その写真領域については平滑化処理をし、その網点領域についてはモアレ除去処理をする。
【００５２】
また、γ調整部６５ではパラメータ調整値に基づいて原稿ｄの文字領域についてはコントラストを高める処理をし、写真及び網点領域については階調を高める処理をする。更に、色変換部６６は原稿ｄの有彩色領域については、画像データＲ，Ｇ，Ｂをプリンタの色材であるＹ，Ｍ，Ｃ，ＢＫ信号に変換する。原稿ｄの無彩色領域については、画像データＲ，Ｇ，Ｂを無彩色のＢＫ信号に変換する。
【００５３】
例えば、画像データの信号値をＲ，Ｇ，Ｂとし、計算パラメータをａ，ｂ，ｃとし、無彩色の信号をＢＫとすると、（３）式、すなわち、
ＢＫ＝ａ×Ｒ＋ｂ×Ｇ＋ｃ×Ｂ        ・・・・・（３）
により求められる。計算パラメータは例えば、（ａ，ｂ，ｃ）＝（０．３，０．６，０．１）である。
【００５４】
誤差拡散部６７は色変換処理後の画像形成データＹ，Ｍ，Ｃ，ＢＫを入力し、原稿ｄの文字領域については、低ビット誤差拡散処理し、写真及び網点領域については、高ビット誤差拡散処理する。その後、ステップＡ９に移行する。
【００５５】
なお、ステップＡ３で画像データＲ，Ｇ，Ｂを調整しない場合は、ステップＡ８に移行してデータ調整を含まない画像処理を実行する。例えば、画像処理手段３６はデフォルト値に基づいて画像データＲ，Ｇ，Ｂをフィルタ処理したり、フィルタ処理後の画像データＲ，Ｇ，Ｂをγ調整処理をする。γ調整後の画像データＲ，Ｇ，ＢはＹ，Ｃ，Ｍ，Ｋ色用の画像形成データＹ，Ｍ，Ｃ，ＢＫに色変換処理される。
【００５６】
この画像データＲ，Ｇ，Ｂを画像形成データＹ，Ｍ，Ｃ，ＢＫに色変換する方法に関しては、特許文献である特開２００２−１５２５３１号公報、特開平５−１１５００１号公報及び特開平５−１５３３８３号公報が挙げられる。この方法を利用して色変換処理した後の画像形成データＹ，Ｍ，Ｃ，ＢＫは、誤差拡散処理等をするようになされる。その後、ステップＡ９に移行する。ステップＡ９では画像形成データＹ，Ｍ，Ｃ，ＢＫを外部機器等へ出力する。
【００５７】
このように、本発明に係る実施形態としての原稿読取装置を応用したカラースキャナ及びその画像処理方法によれば、有彩色又は無彩色の文字画像、写真画像、網点画像のいずれかを含む原稿ｄを読取って画像処理をする場合に、制御手段１５は、原稿ｄの文字領域、写真領域又は網点領域のいずれか１つ以上の領域を判定するための第１のパラメータ調整内容と、当該原稿ｄの文字領域、写真領域及び網点領域のいずれか１以上が有彩色であるか、又は、無彩色であるかを判定するための第２のパラメータ調整内容とを同一画面上に表示するように、表示手段１８を表示制御するようになされる。
【００５８】
従って、オペレータは第１のパラメータ調整内容を目視確認しながら同一画面上で第２のパラメータ調整内容を設定することができる。これにより、原稿ｄの画質及び色文字等のカラー調整時の操作性を向上できる。しかも、本来、文字領域であるものが誤って写真領域と判別されたり、太い文字のエッジをぼやかす等の画像処理を防止できる。また、本来、無彩色の文字であるものが誤って有彩色の文字と判別されたり、黒文字に色を付ける等の画像処理を防止できる。
【００５９】
また、第１及び第２のパラメータ調整内容が同一画面上に表示されるので、これらの調整内容によって設定可能な画質及び色文字等の調整量が一目で分かり、調整後の画像形成出力を予測し易くなる。また、同一画面上で一度に両方の調整項目が操作でき、短時間に画質及び色文字等が調整でき、調整項目がどこに表示されているかが理解し易くなる。
【００６０】
（２）画像形成装置
図６は、本発明に係る実施形態としてのカラー画像形成装置２００の断面の構成例を示す概念図である。
この実施形態では先に説明したカラー用のスキャナ機能を実装したカラー画像形成装置２００において、有彩色又は無彩色の文字画像、写真画像、網点画像により構成された原稿を読み取って画像を形成する場合に、原稿の文字領域、写真領域又は網点領域のいずれか１つ以上の領域を判定するための第１のパラメータ調整内容と、当該原稿の文字領域、写真領域及び網点領域のいずれか１以上が有彩色であるか、又は、無彩色であるかを判定するための第２のパラメータ調整内容とを同一画面上に表示する制御手段１５を備え、第１のパラメータ調整内容を目視確認しながら同一画面上で第２のパラメータ調整内容を設定できるようにすると共に、画質及び色文字等のカラー調整時の操作性を向上できるようにしたものである。
【００６１】
図６に示すカラー画像形成装置２００は、有彩色又は無彩色の文字画像、写真画像、網点画像により構成された原稿ｄに関する画像情報を読み取り、画像処理後の画像形成データＹ，Ｍ，Ｃ，ＢＫに基づいて色を重ね合わせ、所望の用紙Ｐにカラー画像を形成する装置である。
【００６２】
カラー画像形成装置２００は、画像形成装置本体１０１と画像読取装置１０２とから構成される。画像形成装置本体１０１の上部には、自動原稿給紙装置（ＡＤＦ）２０１と原稿画像走査露光装置２０２から成る原稿読取部１０２が取付けられている。ＡＤＦ２０１は原稿載置部４１、ローラ４２ａ、ローラ４２ｂ、ローラ４３、反転ローラ４４、反転部４５及び排紙皿４６から構成される。また、原稿読取部１０２は、第１のプラテンガラス５１、第２のプラテンガラス５２、光源５３、ミラー５４、５５、５６、結像光学部５７、ＣＣＤ撮像装置５８及び図示しない光学駆動部を有している。
【００６３】
ＡＤＦ２０１の原稿台上に載置された原稿ｄは搬送手段により搬送され、原稿画像走査露光装置２０２の光学系により原稿ｄの画像面が走査露光され、ＣＣＤ撮像装置５８によって原稿ｄから画像情報を読み取って得た画像信号が出力される。このＣＣＤ撮像装置５８によって光電変換された画像信号は、図示しない画像処理手段において、アナログ処理、Ａ／Ｄ変換、シェーディング補正及び画像圧縮処理等がなされ、デジタルの画像データＲ，Ｇ，Ｂとなる。その後、画像データＲ，Ｇ，Ｂは所定の画像処理を経る。画像処理後の画像形成データＹ，Ｍ，Ｃ，ＢＫは、画像形成手段の一例となる画像書き込み部（露光手段）３Ｙ、３Ｍ、３Ｃ、３Ｋへ送られる。
【００６４】
また、ＡＤＦ２０１は自動両面原稿搬送手段を備えている。このＡＤＦ２０１は原稿載置台上から給送される多数枚の原稿ｄの内容を連続して一挙に読み取り、原稿内容を画像メモリ等に蓄積するようになされる（電子ＲＤＨ機能）。この電子ＲＤＨ機能は、複写機能により多数枚の原稿内容を複写する場合、或いはファクシミリ機能により多数枚の原稿ｄを送信する場合等に便利に使用される。
【００６５】
画像形成装置本体１０１は、タンデム型のカラー画像形成装置と称せられるもので、画像形成手段を構成する複数組の画像形成ユニット１０Ｙ、１０Ｍ、１０Ｃ、１０Ｋと、無終端状の中間転写ベルト６と、再給紙機構（ＡＤＵ機構）を含む給紙搬送手段と、トナー像を定着するための定着装置１７からなる。
【００６６】
イエロー（Ｙ）色の画像を形成する画像形成ユニット１０Ｙは、感光体ドラム１Ｙと、感光体ドラム１Ｙの周囲に配置されたＹ色用の帯電手段２Ｙ、露光手段３Ｙ、現像手段４Ｙ及び像形成体用のクリーニング手段８Ｙを有する。マゼンタ（Ｍ）色の画像を形成する画像形成ユニット１０Ｍは、感光体ドラム１Ｍと、Ｍ色用の帯電手段２Ｍ、露光手段３Ｍ、現像手段４Ｍ及び像形成体用のクリーニング手段８Ｍを有する。
【００６７】
シアン（Ｃ）色の画像を形成する画像形成ユニット１０Ｃは、感光体ドラム１Ｃと、Ｃ色用の帯電手段２Ｃ、露光手段３Ｃ、現像手段４Ｃ及び像形成体用のクリーニング手段８Ｃを有する。黒（ＢＫ）色の画像を形成する画像形成ユニット１０Ｋは、感光体ドラム１Ｋと、ＢＫ色用の帯電手段２Ｋ、露光手段３Ｋ、現像手段４Ｋ及び像形成体用のクリーニング手段８Ｋを有する。
【００６８】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。現像手段４Ｙ、４Ｍ、４Ｃ、４Ｋによる現像は、使用するトナー極性と同極性（本実施形態においては負極性）の直流電圧に交流電圧を重畳した現像バイアスが印加される反転現像にて行われる。中間転写ベルト６は、複数のローラにより巻回され、回動可能に支持されている。
【００６９】
ここで画像形成プロセスの概要について以下に説明をする。画像形成ユニット１０Ｙ、１０Ｍ、１０Ｃ及び１０Ｋより形成された各色の画像は、使用するトナーと反対極性（本実施形態においては正極性）の１次転写バイアス（不図示）が印加される１次転写ローラ７Ｙ、７Ｍ、７Ｃ及び７Ｋにより、回動する中間転写ベルト６上に逐次転写されて（１次転写）、合成されたカラー画像（色画像：カラートナー像）が形成される。カラー画像は中間転写ベルト６から用紙Ｐへ転写される。
【００７０】
給紙カセット２０Ａ、２０Ｂ、２０Ｃ内に収容された用紙Ｐは、給紙カセット２０Ａ、２０Ｂ、２０Ｃにそれぞれ設けられる送り出しローラ２１および給紙ローラ２２Ａにより給紙され、搬送ローラ２２Ｂ、２２Ｃ、２２Ｄ、レジストローラ２３等を経て、２次転写ローラ７Ａに搬送され、用紙Ｐ上の一方の面（表面）にカラー画像が一括して転写される（２次転写）。
【００７１】
カラー画像が転写された用紙Ｐは、定着装置１７により定着処理され、排紙ローラ２４に挟持されて機外の排紙トレイ２５上に載置される。転写後の感光体ドラム１Ｙ、１Ｍ、１Ｃ、１Ｋの周面上に残った転写残トナーは、像形成体クリーニング手段８Ｙ、８Ｍ、８Ｃ、８Ｋによりクリーニングされ次の画像形成サイクルに入る。
【００７２】
両面画像形成時には、一方の面（表面）に画像形成され、定着装置１７から排出された用紙Ｐは、分岐手段２６によりシート排紙路から分岐され、それぞれ給紙搬送手段を構成する、下方の循環通紙路２７Ａを経て、再給紙機構（ＡＤＵ機構）である反転搬送路２７Ｂにより表裏を反転され、再給紙搬送部２７Ｃを通過して、給紙ローラ２２Ｄにおいて合流する。
【００７３】
反転搬送された用紙Ｐは、レジストローラ２３を経て、再度２次転写ローラ７Ａに搬送され、用紙Ｐの他方の面（裏面）上にカラー画像（カラートナー像）が一括転写される。カラー画像が転写された用紙Ｐは、定着装置１７により定着処理され、排紙ローラ２４に挟持されて機外の排紙トレイ２５上に載置される。一方、２次転写ローラ７Ａにより用紙Ｐにカラー画像を転写した後、用紙Ｐを曲率分離した中間転写ベルト６は、中間転写ベルト用のクリーニング手段８Ａにより残留トナーが除去される。
【００７４】
これらの画像形成の際には、用紙Ｐとして５２．３〜６３．９ｋｇ／ｍ２（１０００枚）程度の薄紙や６４．０〜８１．４ｋｇ／ｍ２（１０００枚）程度の普通紙や８３．０〜１３０．０ｋｇ／ｍ２（１０００枚）程度の厚紙や１５０．０ｋｇ／ｍ２（１０００枚）程度の超厚紙を用い、線速度を８０〜３５０ｍｍ／ｓｅｃ程度とし、環境条件として温度が５〜３５℃程度、湿度が１５〜８５％程度の設定条件とすることが好ましい。用紙Ｐの厚み（紙厚）としては０．０５〜０．１５ｍｍ程度の厚さのものが用いられる。
【００７５】
図７はカラー画像形成装置２００の制御系の構成例を示すブロック図である。図７に示すカラー画像形成装置２００は、有彩色又は無彩色の文字画像、写真画像、網点画像により構成された原稿ｄに関する画像を形成する装置である。カラー画像形成装置２００は図１に示したカラー用のスキャナ機能を有している。このスキャナ機能は、原稿読取部１０２、Ａ／Ｄ変換部３４、シェーディング補正部３５、画像メモリ３７及び画像処理手段３６を有している。
【００７６】
画像メモリ３７は、図１に示した画像メモリ１３を兼用するものであり、シェーディング補正後の画像データＲ，Ｇ，Ｂや、画像処理後の画像形成データＹ，Ｍ，Ｃ，ＢＫを一時格納するようになされる。画像メモリ３７には、ＤＲＡＭやハードディスクが使用される。スキャナ１００で説明した同じ名称及び、同じ符号については、同じ機能を有するためその説明を省略する。
【００７７】
画像処理手段３６は、原稿ｄに関する画像データＲ，Ｇ，Ｂを入力して当該原稿ｄの文字領域、写真領域及び網点領域を第１のパラメータＴｈｒ＃１に基づいて判別すると共に、当該原稿ｄの文字領域、写真領域及び網点領域のいずれか１以上が有彩色であるか、又は、無彩色であるかを第２のパラメータＴｈｒ＃２に基づいて判別し、当該原稿ｄの有彩色又は無彩色の文字画像、写真画像、網点画像に応じた画像処理をするようになされる。
【００７８】
画像処理後の画像形成データＹ，Ｍ，Ｃ，ＢＫは画像メモリ３７に一時格納される（電子ＲＤＨ機能）。画像メモリ３７にはスクリーン処理部３８が接続され、画像判別信号Ｓ１が入力される。スクリーン処理部３８は、文字領域については、画像がぼけるのでスクリーン処理を実行せずに、写真及び網点領域については、高階調処理するようなスクリーン処理を実行する。
【００７９】
画像処理手段３６には制御手段１５が接続され、この制御手段１５から画像処理手段３６にはパラメータＴｈｒ＃１及びパラメータＴｈｒ＃２が設定される。制御手段１５には操作設定手段１４及び表示手段１８が接続される。例えば、操作設定手段１４はタッチパネルから構成され、表示手段１８は液晶表示パネルから構成される。この例では、表示手段１８を構成する液晶表示パネル上に、操作設定手段１４を構成するタッチパネルが組み合わされ、ＧＵＩ（Ｇｒａｐｈｉｃ  Ｕｓｅｒ  Ｉｎｔｅｒｆａｃｅ）方式の操作パネル４８が構成される。
【００８０】
制御手段１５は、画像処理手段３６にパラメータＴｈｒ＃１及びパラメータＴｈｒ＃２を出力して画像処理手段３６の入出力を制御する。例えば、制御手段１５は、原稿ｄの文字領域、写真領域又は網点領域のいずれか１つ以上の領域を判定するための第１のパラメータ調整内容と、当該原稿ｄの文字領域、写真領域及び網点領域のいずれか１以上が有彩色であるか、又は、無彩色であるかを判定するための第２のパラメータ調整内容とを操作パネル４８の同一画面上に表示する。また、操作パネル４８はパラメータＴｈｒ＃１及びパラメータＴｈｒ＃２を設定するよううに操作される。例えば、操作パネル４８はパラメータＴｈｒ＃１を設定して原稿ｄの画質を調整し、パラメータＴｈｒ＃２を設定して原稿ｄの色文字を調整するように操作される。
【００８１】
上述の制御手段１５はＲＯＭ（Ｒｅａｄ  Ｏｎｌｙ  Ｍｅｍｏｒｙ）３１、ＲＡＭ（Ｒａｎｄｏｍ  Ａｃｃｅｓｓ  Ｍｅｍｏｒｙ）３２、ＣＰＵ（Ｃｅｎｔｒａｌ  Ｐｒｏｃｅｓｓｉｎｇ  Ｕｎｉｔ；中央処理ユニット）３３を有している。ＲＯＭ３１には当該画像形成装置全体を制御するためのシステムプログラムデータが格納される。ＲＡＭ３２はワークメモリとして使用され、例えば、制御コマンド等を一時記憶するようになされる。ＣＰＵ３３は電源がオンされると、ＲＯＭ３１からシステムプログラムデータを読み出してシステムを起動し、操作設定手段１４からの操作データＤ３に基づいて当該画像形成装置全体を制御するようになされる。
【００８２】
制御手段１５には図６に示した画像形成ユニット１０Ｙ，１０Ｍ，１０Ｃ，１１０Ｋから構成される画像形成手段３９が接続され、操作パネル４８により設定された内容に基づいて原稿画像を形成するように動作する。例えば、制御手段１５は、画像形成制御信号Ｓ２を画像形成手段３９に出力してこの画像形成手段３９の入出力を制御する。
【００８３】
制御手段１５には画像形成手段３９の他に通信手段１９及び、給紙手段３０が接続される。通信手段１９はＬＡＮ等の通信回線に接続され、外部のコンピュータ等と通信処理する際に使用される。当該カラー画像形成装置２００をプリンタとして使用する場合に、そのプリント動作モード時に、通信手段１９は外部のコンピュータからプリントデータＤｉｎを受信するように使用される。
【００８４】
給紙手段３０はプリント動作モード時に、給紙制御信号Ｓ３に基づいて図６に示した給紙カセット２０Ａ、２０Ｂ、２０Ｃを制御する。例えば、給紙手段３０は給紙カセット２０Ａに設けられた送り出しローラ２１および給紙ローラ２２Ａを駆動して給紙カセット２０Ａに収容された用紙Ｐを繰り出し、画像形成手段３９へ給紙するようになされる。給紙制御信号Ｓ３は制御手段１５から給紙手段３０へ供給される。
【００８５】
図８は操作パネル４８における画面遷移例を示すツリー構造図である。図９は画質調整画面Ｐ７の下位階層における画面遷移例を示すツリー構造図である。
図８に示す画面遷移例によれば、図７に示した操作パネル４８の表示手段１８には、電源ＯＮと共に、ウエイクアップ画面Ｐｗ１が表示される。ウエイクアップ画面Ｐｗ１には「しばらくおまちください」のメッセージが表示される。この例では、ウエイクアップ画面Ｐｗ１に続いてウオームアップ画面Ｐｗ２が表示手段１８に表示される。ウオームアップ時間が経過すると、ウオームアップ画面Ｐｗ２から基本設定画面Ｐ０１に表示が切り替わる。基本設定画面Ｐ０１の下位階層には、単色カラー選択、手差し特殊紙選択、変倍（ズーム／固定倍率）、出力設定、原稿設定、応用メニュー、画質調整の各々の画面Ｐ１〜Ｐ７・・・が準備されている。
【００８６】
この例で、画質調整画面Ｐ７の下位階層には、図９に示す原稿画質、コピー濃度、色合い調整、カラーバランス調整、応用画質のアイコン画面Ｐ７１〜Ｐ７５が準備されている。応用画質用のアイコン画面Ｐ７５の下位階層には、シャープネスや、コントラスト、スクリーン選択、画質判別調整等のポップアップ画面Ｐ７５１〜Ｐ７５４が準備されている。この例では、画像形成条件設定時に画質判別調整用のポップアップ画面（以下画像判別調整画面という）Ｐ７５４を選択できるようになされる。
【００８７】
図１０は操作パネル４８における基本設定画面Ｐ０１の表示例を示すイメージ図である。図１０に示す基本設定画面Ｐ０１は、電源ＯＮ後、ウエイクアップ画面Ｐｗ１及びウオームアップ画面Ｐｗ２に続いて操作パネル４８に表示される。基本設定画面Ｐ０１は、メッセージエリアＡＲ１、ステータスアイコン表示エリアＡＲ２、枚数表示エリアＡＲ３、各種アイコン表示エリアＡＲ４、メモリ残量エリアＡＲ５、フォルダボタンエリアＡＲ６、画面設定表示エリアＡＲ７から構成される。
【００８８】
メッセージエリアＡＲ１には「コピー予約できます」等のメッセージが表示される。画面設定表示エリアＡＲ７には「応用設定」アイコンが表示される。「応用設定」アイコンには、「画質調整」、「原稿設定」、「応用機能」、「自動画像回転解除」、「原稿読込み」等のキーＫ１〜Ｋ５が設けられる。ユーザは、コピー予約時等において、「応用設定」アイコンの中から各種キーＫ１〜Ｋ５を選択できるようになされている。
【００８９】
図１１は操作パネル４８における画質調整画面Ｐ７の表示例を示すイメージ図である。図１１に示す画質調整画面Ｐ７は、図１０に示した基本設定画面Ｐ０１で、「応用設定」アイコンの中から「画質調整」キーＫ１を押下して選択した場合に操作パネル４８に表示される。画質調整画面Ｐ７には「設定項目を選択してください」等のメッセージが表示される。例えば、各種アイコン表示エリアＡＲ４には「画質調整」と共に「応用画質」タグＴＧ１が表示される。この「応用画質」タグＴＧ１を選択すると、メッセージエリアＡＲ１や、各種アイコン表示エリアＡＲ４の下部に応用画質用のアイコン画面Ｐ７５が表示される。
【００９０】
アイコン画面Ｐ７５には、「シャープネス」、「コントラスト」、「光沢」、「スクリーン選択」、「画像判別調整」の設定項目が表示される。「シャープネス」、及び「コントラスト」については「ふつう」等のような調整量を示す名称が表示される。「画像判別調整」の設定項目は、図２に示した画像判別処理部６２にパラメータＴｈｒ＃１及びＴｈｒ＃２を設定するために設けられている。ユーザは、コピー予約時等において、「画像判別調整」の設定項目を選択できるようになされている。
【００９１】
図１２は操作パネル４８における画像判別調整画面Ｐ７５４の表示例を示すイメージ図である。図１２に示す画像判別調整画面Ｐ７５４は、図１１に示したアイコン画面Ｐ７５で、「応用画質」タグＴＧ１の中から「画像判別調整」の設定項目を選択した場合に操作パネル４８に表示される。アイコン画面Ｐ７５には「調整レベルを選択してください」等のメッセージが表示され、この画像判別調整画面Ｐ７５４の画面設定表示エリアＡＲ７には「文字調整」と共に「色文字調整」の名称が表示される。画像を判別するためのパラメータ（閾値）Ｔｈｒ＃１及びＴｈｒ＃２を設定させるためである。
【００９２】
「文字調整」の設定項目は第１のパラメータ調整内容の一例であり、第２のパラメータ調整内容の一例となる「色文字調整」の設定項目と共に、操作パネル４８の同一画面（画像判別調整画面）上に表示される。画像判別調整画面Ｐ７５４の「文字調整」の設定項目において、両端矢印を間にして、左端側には「写真を多く」の名称が表示され、右端側には「文字を多く」の名称が表示される。
【００９３】
また、その両端矢印の中央部は調整量として「ふつう」の押しボタンが表示され、その中央部から右端側に向かって「＋１」、「＋２」、「＋３」、「＋４」等の押しボタンが表示される。その中央部から左端側に向かって「−１」、「−２」、「−３」、「−４」等の押しボタンが表示される。例えば、「文字調整」に関して、ユーザは、文字として判別する割合を多くするためには、「＋」側を選択し、写真として判別する割合を多くするためには、「−」側を選択するように押しボタンが操作される。
【００９４】
更に、画像判別調整画面Ｐ７５４の「色文字調整」の設定項目において、両端矢印を間にして、左端側には「黒文字」の名称が表示され、右端側には「色文字」の名称が表示される。また、その両端矢印の中央部は調整量として「ふつう」の押しボタンが表示され、その中央部から右端側に向かって「＋１」、「＋２」、「＋３」、「＋４」等の押しボタンが表示される。その中央部から左端側に向かって「−１」、「−２」、「−３」、「−４」等の押しボタンが表示される。例えば、「色文字調整」に関して、ユーザは、色文字として判別する割合を多くするためには、「＋」側を選択し、黒文字として判別する割合を多くするためには、「−」側を選択するように押しボタンが操作される。
【００９５】
この例で操作パネル４８から入力された調整量は、図７に示したような操作データＤ３となってＣＰＵ３３に出力される。ＣＰＵ３３は操作パネル４８から入力した調整量に伴う操作データＤ３を画像判別用のパラメータＴｈｒ＃１及びＴｈｒ＃２に変換し、これらのパラメータＴｈｒ＃１及びＴｈｒ＃２を画像判別処理部６２に出力する。パラメータＴｈｒ＃１は画像領域判別部６３の画像判別レベルを切換えるためであり、パラメータＴｈｒ＃２は有彩色判別部６４の色判別レベルを切換えるためである。
【００９６】
続いて、カラー画像形成装置２００における画像処理方法について説明をする。図１３はカラー画像形成装置２００の動作例を示すフローチャートである。
この実施形態では、有彩色又は無彩色の文字画像、写真画像、網点画像により構成された原稿ｄに関する画像情報を読み取ってカラー画像を形成する場合に、図１２に示したような画像判別調整画面Ｐ７５４を操作パネル４８上に表示し、この画像判別調整画面Ｐ７５４で画像判別処理部６２へのパラメータＴｈｒ＃１及びＴｈｒ＃２を設定する場合を前提とする。
【００９７】
これを動作条件にして、図７に示したＣＰＵ３３は、図１１に示すフローチャートのステップＥ１でコピー要求が有るまで待機する。コピー要求が有るとステップＥ２へ移行する。ステップＥ２でＣＰＵ３３は操作パネル４８から画像形成条件を入力する。このとき、ユーザは図１０に示した基本設定画面Ｐ０１で、「応用設定」アイコンの中からキーＫ１を押下する。このキーＫ１の押下によって、基本設定画面Ｐ０１から図１１に示す画質調整画面Ｐ７に表示が切り替わる。
【００９８】
更に、ユーザは画質調整画面Ｐ７の中で応用画質のアイコン画面Ｐ７５を選択する。このアイコン画面Ｐ７５の選択によって、アイコン画面Ｐ７５中に図１２に示す画像判別調整画面Ｐ７５４がポップアップして操作パネル４８に表示されるこのとき、ユーザは、例えば、「文字調整」に関して、ユーザは、文字として判別する割合を多くするためには、「＋」側を選択し、写真として判別する割合を多くするためには、「−」側を選択するように押しボタンが操作される。更に、「色文字調整」に関して、ユーザは、色文字として判別する割合を多くするためには、「＋」側を選択し、黒文字として判別する割合を多くするためには、「−」側を選択するように押しボタンが操作される。
【００９９】
このように、操作パネル４８から入力された調整量は、図７に示したような操作データＤ３となってＣＰＵ３３に出力される。ＣＰＵ３３は操作パネル４８から入力した調整量に伴う操作データＤ３を画像判別用のパラメータＴｈｒ＃１及びＴｈｒ＃２に変換し、これらのパラメータＴｈｒ＃１及びＴｈｒ＃２を画像判別処理部６２に出力する。
【０１００】
これらの画像形成条件の設定処理が終了すると、ステップＥ３に移行して原稿読取部１０２では原稿読み取り処理を実行する。このとき、原稿読み取り部１８は、原稿ｄから画像情報を読み取ってアナログ画像信号ＳＲ，ＳＧ，ＳＢをＡ／Ｄ変換器３４に出力する。Ａ／Ｄ変換器３４では、アナログ画像信号ＳＲ，ＳＧ，ＳＢがＡ／Ｄ変換され、デジタルのＲ，Ｇ，Ｂ色用の画像データＲ，Ｇ，Ｂとなる。画像データＲ，Ｇ，Ｂは、シェーディング補正処理を経た後に圧縮し符号化されて画像メモリ３７に格納される。
【０１０１】
そして、ステップＥ４に移行して画像処理手段３６は画像メモリ３７から画像データＲ，Ｇ，Ｂを読み出して画像処理を実行する。例えば、画像処理手段３６は、画像メモリ３７から読み出した画像データＲ，Ｇ，Ｂを伸長し復号化した後に、原稿ｄの文字領域、写真領域及び網点領域のいずれか１つ以上の領域を第１の判別基準値Ｔｈｒ＃１に基づいて判別する。これと共に、画像処理手段３６は当該原稿ｄの文字領域、写真領域及び網点領域のいずれか１以上が有彩色であるか、又は、無彩色であるかを第２の判別基準値Ｔｈｒ＃２に基づいて判別する。この判別処理は、当該原稿ｄの有彩色又は無彩色の文字画像、写真画像、網点画像に応じた画像処理をするためである。
【０１０２】
画像処理手段３６は、例えば、画像データＲ，Ｇ，Ｂを展開し、パラメータ調整値に基づく原稿ｄの文字領域についてはエッジ強調処理し、その写真領域については平滑化処理をし、その網点領域についてはモアレ除去処理をする。図２に示したγ調整部６５ではパラメータ調整値に基づいて原稿ｄの文字領域についてはコントラストを高める処理をし、写真及び網点領域については階調を高める処理をする。
【０１０３】
更に、色変換部６６は原稿ｄの有彩色領域については、画像データＲ，Ｇ，Ｂをプリンタの色材であるＹ，Ｍ，Ｃ信号に変換する。原稿ｄの無彩色領域については、画像データＲ，Ｇ，Ｂを無彩色のＢＫ信号に変換する。誤差拡散部６７は色変換処理後の画像形成データＹ，Ｍ，Ｃ，ＢＫを入力し、原稿ｄの文字領域については、低ビット誤差拡散処理し、写真及び網点領域については、高ビット誤差拡散処理する。
【０１０４】
このような画像処理後の画像形成データＹ，Ｍ，Ｃ，ＢＫは、先に操作パネル４８によって設定された画像形成条件に基づいてカラー調整されたデータであり、ステップＥ５で、画像処理手段３６から画像メモリ３７に一旦格納される（電子ＲＤＨ）。そして、ステップＥ６に移行してＣＰＵ３３は給紙処理を開始する。このとき、図７に示した給紙手段３０では、給紙制御信号Ｓ３に基づいて給紙カセット２０Ａ等から画像形成条件の設定に基づく用紙Ｐが繰り出され、当該用紙Ｐが画像形成手段３９へ搬送される。
【０１０５】
そして、ステップＥ７に移行してＣＰＵ３３は、画像メモリ３７から画像形成データＹ，Ｍ，Ｃ，ＢＫを読み出し、この画像形成データＹ，Ｍ，Ｃ，ＢＫをスクリーン処理した後に、画像形成ユニット１０Ｙ、１０Ｍ，１０Ｃ，１０Ｋにセットする。この画像形成ユニット１０Ｙ、１０Ｍ，１０Ｃ，１０Ｋにセットされた画像形成データＹ，Ｍ，Ｃ，ＢＫは、カラー調整後のデータである。
【０１０６】
その後、ステップＥ８に移行して、画像形成ユニット１０Ｙ、１０Ｍ，１０Ｃ，１０Ｋは、画像形成データＹ，Ｍ，Ｃ，ＢＫに基づいて画像を形成する。このとき、画像形成ユニット１０Ｙでは、画像形成データＹがＰＷＭ（パルス振幅）変調され、ＰＷＭ変調された後のＹ色用のレーザ駆動信号が露光手段３Ｙに供給される。同様にして、画像形成ユニット１０Ｍ〜１０Ｋにおいても、画像形成データＭ，Ｃ，ＢＫがＰＷＭ変調され、ＰＷＭ変調された後のＭ，Ｃ，ＢＫ色用のレーザ駆動信号が露光手段３Ｃ〜３Ｋに各々供給される。
【０１０７】
露光手段３Ｙは、所定電位に帯電された感光体ドラム１Ｙに対して、Ｙ色用のレーザ駆動信号に基づくレーザ光を走査する。感光体ドラム１ＹにはＹ色用の静電潜像が形成される。現像手段４ＹはＹ色のトナー剤により感光体ドラム１Ｙ上の静電潜像を現像する。この現像によって、感光体ドラム１Ｙには、Ｙ色のトナー像が形成される。他の露光手段３Ｃ〜３Ｋにおいても同様な処理がなされ、感光体ドラム１Ｍには、Ｍ色のトナー像が形成され、感光体ドラム１Ｃには、Ｃ色のトナー像が形成され、感光体ドラム１Ｋには、ＢＫ色のトナー像が各々形成される。
【０１０８】
画像形成ユニット１０Ｙ、１０Ｍ、１０Ｃ及び１０Ｋより形成された各色の画像は、使用するトナー剤と反対極性の１次転写バイアスが印加される１次転写ローラ７Ｙ、７Ｍ、７Ｃ及び７Ｋにより、回動する中間転写ベルト６上に逐次転写されて（１次転写）、合成されたカラー画像が形成される。カラー画像は中間転写ベルト６から用紙Ｐへ転写される。
【０１０９】
カラー画像が転写された用紙Ｐは、定着装置１７により定着処理され、排紙ローラ２４に挟持されて機外の排紙トレイ２５上に載置される。転写後の感光体ドラム１Ｙ、１Ｍ、１Ｃ、１Ｋの周面上に残った転写残トナーは、像形成体クリーニング手段８Ｙ、８Ｍ、８Ｃ、８Ｋによりクリーニングされ次の画像形成サイクルに入る。
【０１１０】
そして、ステップＥ９でＣＰＵ３３では予め設定された複写部数を全部画像形成したかが判別される。複写部数を全部画像形成していない場合は、ステップＥ６に戻って給紙カセット２０Ａ等から用紙Ｐが繰り出されると共に、ステップＥ７で画像形成ユニット１０Ｙ、１０Ｍ，１０Ｃ，１０Ｋに画像形成データＹ，Ｍ，Ｃ，ＢＫがセットされる。その後、ステップＥ８で画像形成データＹ，Ｍ，Ｃ，ＢＫに基づく画像が用紙Ｐに形成される。
【０１１１】
また、ステップＥ９で、予め設定された複写部数を全部画像形成した場合には、ステップＥ１０に移行してコピー処理を終了するか否かがチェックされる。コピー処理を終了しない場合は、電源セーブ情報等を検出し、ステップＥ１に戻ってコピー要求を待機する。コピー処理を終了する場合は、電源オフ情報等を検出して制御処理を終了する。
【０１１２】
このように本発明に係る実施形態としてのカラー画像形成装置及びその画像処理方法によれば、有彩色又は無彩色の文字画像、写真画像、網点画像により構成された原稿ｄに関する画像を形成する場合に、本発明に係るスキャナ機能が応用され、ＣＰＵ３３は、原稿ｄの文字領域、写真領域又は網点領域のいずれか１つ以上の領域を判定するための「文字調整」の内容と、当該原稿ｄの文字領域、写真領域及び網点領域のいずれか１以上が有彩色であるか、又は、無彩色であるかを判定するための「色文字調整」の内容とを画質調整画面Ｐ７の下位階層である画質判別調整画面Ｐ７５４の同一画面上に表示するように操作パネル４８を制御する。
【０１１３】
従って、オペレータは「文字調整」の内容を目視確認しながら同一画面上で「色文字調整」の内容を設定することができる。例えば、原稿ｄの太い文字が写真領域と判別され、平滑化処理により文字エッジがぼけて、コントラストが低下してしまうような場合に、図１２に示した「文字調整」の設定項目に関して、「文字を多く」の方へ調整する。これにより、画像データＲ，Ｇ，Ｂに対して「写真領域」に判別される画像を「文字領域」に寄るように、パラメータＴｈｒ＃１を変更することができ、太い文字が「写真領域」にならずに、「文字領域」になる。従って、文字エッジがシャープに成り、コントラストが高まるような出力結果を得ることができる。
【０１１４】
また、原稿ｄの品質により、色味がかったグレーの文字が有彩色と判定され、画像形成データＹ，Ｍ，Ｃの色材（有彩色）で出力され、文字品質が落ちたり、トナー量の消費が多くなってしまうことがある。このような場合に対して、図１２の「色文字調整」の設定項目に関して、「黒文字」の方へ調整を変更することにより、画像データＲ，Ｇ，Ｂに対して無彩色領域が増加し、色味がかったグレーの文字が黒単色で出力される。これにより、文字品位が上がり、トナー量の消費を抑えることができる。
【０１１５】
しかも、本発明方式によれば、画質判別調整画面Ｐ７５４の同一画面上で両方のパラメータＴｈｒ＃１及びＴｈｒ＃２が操作でき、かつ、相互の調整量も判るため、簡単に短時間にカラー調整をすることができる。また、調整すべき、押しボタンが画質判別調整画面Ｐ７５４に明確に表示されるため、「文字調整」や、「色文字調整」等の押しボタンがどこに表示されているか等をユーザが理解し易くなる。
【０１１６】
【発明の効果】
以上説明したように、本発明に係る原稿読取装置によれば、有彩色又は無彩色の文字画像、写真画像、網点画像のずれかを含む原稿を読み取って画像を処理する場合に、原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示する制御手段を備えるものである。
【０１１７】
この構成によって、第１の判別基準値調整内容を目視確認しながら同一画面上で第２の判別基準値調整内容を設定することができる。従って、原稿の画質及び色文字等のカラー調整時の操作性を向上できる。しかも、本来、文字領域であるものが誤って写真領域と判別されたり、太い文字のエッジをぼやかす等の画像処理を防止できる。また、本来、無彩色の文字であるものが誤って有彩色の文字と判別されたり、黒文字に色を付ける等の画像処理を防止できる。
【０１１８】
本発明に係る画像形成装置によれば、有彩色又は無彩色の文字画像、写真画像、網点のいずれかを含む画像を形成する際に、原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示する制御手段を備えるものである。
【０１１９】
この構成によって、第１の判別基準値調整内容を目視確認しながら同一画面上で第２の判別基準値調整内容を設定することができる。従って、原稿の画質及び色文字等のカラー調整時の操作性を向上できる。しかも、本来、文字領域であるものが誤って写真領域と判別されたり、太い文字のエッジをぼやかす等の画像形成処理を防止できる。また、本来、無彩色の文字であるものが誤って有彩色の文字と判別されたり、黒文字に色を付ける等の画像形成処理を防止できる。
【０１２０】
本発明に係る画像処理方法によれば、有彩色又は無彩色の文字画像、写真画像、網点のいずれかを含む原稿に関する画像情報を処理する際に、原稿の文字領域、写真領域又は網点領域のいずれか１つ以上の領域を判定するための第１の判別基準値調整内容と、当該原稿の文字領域、写真領域及び網点領域のいずれか１以上が有彩色であるか、又は、無彩色であるかを判定するための第２の判別基準値調整内容とを同一画面上に表示するようになされる。
【０１２１】
この構成によって、第１の判別基準値調整内容を目視確認しながら同一画面上で第２の判別基準値調整内容を設定することができる。従って、原稿の画質及び色文字等のカラー調整時の操作性を向上できる。しかも、本来、文字領域であるものが誤って写真領域と判別されたり、太い文字のエッジをぼやかす等の画像処理を防止できる。また、本来、無彩色の文字であるものが誤って有彩色の文字と判別されたり、黒文字に色を付ける等の画像処理を防止できる。
【０１２２】
この発明は、画像領域を判別して画像情報を調整する画像領域判別調整機能を備えたスキャナや、カラーデジタル複写機、複合機等に適用して極めて好適である。
【図面の簡単な説明】
【図１】本発明に係る実施形態としての原稿読取装置を応用したカラー用のスキャナ１００の構成例を示す概念図である。
【図２】画像処理手段３６の内部構成例を示すブロック図である。
【図３】有彩色判別部６４の内部構成例を示すブロック図である。
【図４】スキャナ１００の動作例を示すフローチャートである。
【図５】画像領域判別部６３における画像領域判別例を示すフローチャートである。
【図６】本発明に係る実施形態としてのカラー画像形成装置２００の構成例を示す概念図である。
【図７】カラー画像形成装置２００の制御系の内部構成例を示すブロック図である。
【図８】操作パネル４８における画面遷移例を示すツリー構造図である。
【図９】画質調整画面Ｐ７の下位階層における画面遷移例を示すツリー構造図である。
【図１０】操作パネル４８における基本設定画面Ｐ０１の表示例を示すイメージ図である。
【図１１】操作パネル４８における画質調整画面Ｐ７の表示例を示すイメージ図である。
【図１２】操作パネル４８における画像判別調整画面Ｐ７５４の表示例を示すイメージ図である。
【図１３】カラー画像形成装置２００における動作例を示すフローチャートである。
【符号の説明】
１Ｙ，１Ｍ，１Ｃ，１Ｋ  感光体ドラム（像形成体）
２Ｙ，２Ｍ，２Ｃ，２Ｋ  帯電手段（画像形成手段）
３Ｙ，３Ｍ，３Ｃ，３Ｋ  露光手段（画像形成手段）
４Ｙ，４Ｍ，４Ｃ，４Ｋ  現像手段（画像形成手段）
６  中間転写ベルト（像形成体）
１４  操作設定手段
１５  制御手段
１７  定着手段
１８  表示手段
３０  給紙手段
３３  ＣＰＵ（制御手段）
３６  画像処理手段
４８  操作パネル
１００  スキャナ（原稿読取装置）
１０１  画像形成装置本体
１０２  原稿読取部（原稿読取手段）
２００  カラー画像形成装置
２０１  自動原稿給紙装置
２０２  原稿画像走査露光装置
【図１】
2004364115.tif 000003
【図２】
2004364115.tif 000004
【図３】
2004364115.tif 000005
【図４】
2004364115.tif 000006
【図５】
2004364115.tif 000007
【図６】
2004364115.tif 000008
【図７】
2004364115.tif 000009
【図８】
2004364115.tif 000010
【図９】
2004364115.tif 000011
【図１０】
2004364115.tif 000012
【図１１】
2004364115.tif 000013
【図１２】
2004364115.tif 000014
【図１３】
2004364115.tif 000015